(57)【要約】【課題】周辺音を収音するマイクをヘッドフォンに設ける場合に、風よけ等を不要とする。【解決手段】ユーザーの外耳道の外側における周辺音を収音するマイク（１１）と、外耳道内の音を収音するマイク（１２）と、外耳道に向けて放音するスピーカー（１５）と、マイク（１１）による収音に基づく第１信号と、マイク（１２）による収音に基づく第２信号との比較により風切り音の発生の有無を判別する判別器（５１）と、判別器（５１）により風切り音が発生していないと判別された場合、第１信号に、入力された信号を加算してスピーカー（１５）に向けて出力する処理部（４０）と、を含む。【選択図】図４
2020150566.tif 000002
【特許請求の範囲】
【請求項１】
ユーザーの外耳道の外側における周辺音を収音する第１マイクと、
前記外耳道に向けて放音するスピーカーと、
少なくとも前記第１マイクの収音に基づく第１信号に基づき風切り音の発生の有無を判別する判別器と、
前記判別器により前記風切り音が発生していないと判別された場合、
前記第１信号に、入力された信号を加算して前記スピーカーに向けて出力する処理部と、
を含むヘッドフォン。
【請求項２】
前記第１マイクは、前記ユーザーの右耳の外耳道の外側における周辺音を収音するライトマイクであり、
前記ユーザーの左耳の外耳道の外側における周辺音を収音するレフトマイクを有し、
前記判別器は、
前記ライトマイクに基づく収音信号のレベルと前記レフトマイクに基づく収音信号のレベルとの差がしきい値以上であれば、前記風切り音が発生していると判別する
請求項１に記載のヘッドフォン。
【請求項３】
前記判別器は、
前記第１信号の周波数特性が記憶された風切り音の周波数特性と一致または近ければ、前記風切り音が発生していると判別する
請求項１に記載のヘッドフォン。
【請求項４】
前記判別器は、
前記第１信号のレベルの低域側がしきい値以上であれば、前記風切り音が発生していると判別する
請求項１に記載のヘッドフォン。
【請求項５】
前記判別器により前記風切り音が発生していると判別された場合、
前記処理部は、
前記第１信号に、前記風切り音を低減させる処理を施し、入力された信号を加算して前記スピーカーに向けて出力する
請求項１に記載のヘッドフォン。
【請求項６】
前記外耳道内の音を収音する第２マイクを含む
請求項１に記載のヘッドフォン。
【請求項７】
前記判別器により前記風切り音が発生していると判別された場合、
前記処理部は、
前記第２マイクに基づく第２信号に、入力された信号を加算して前記スピーカーに向けて出力する
請求項６に記載のヘッドフォン。
【請求項８】
前記スピーカーに向けて出力される信号に対して所定の特性を付与するフィルターと、
前記第２マイクに基づく第２信号から前記フィルターの出力信号を減算する減算器と
を含み、
前記判別器は、前記第１マイクの収音に基づく第１信号と、前記減算器で減算された信号との比較により前記風切り音の発生の有無を判別する
請求項６に記載のヘッドフォン。
【請求項９】
ユーザーの外耳道の外側における周辺音を第１マイクで収音して、前記第１マイクの収音に基づく第１信号を出力するステップと、
少なくとも前記第１信号に基づき風切り音の発生の有無を判別するステップと、
前記風切り音が発生していないと判別された場合、
前記第１信号に、入力された信号を加算して、スピーカーにより前記外耳道に向けて放音させるステップと、
を含むヘッドフォンの制御方法。
【発明の詳細な説明】
【技術分野】
【０００１】
本発明は、周辺音を知覚させるヘッドフォンおよびヘッドフォンの制御方法に関する。
【背景技術】
【０００２】
近年、スマートフォンのような携帯型の外部機器が普及し、多くのユーザーが屋内および屋外においてヘッドフォンを装着して、当該外部機器から出力される音をユーザー自身が設定した音量で聴く。一方で、屋外でヘッドフォンを装着したユーザーは、様々な場面において、当該外部機器から出力される音だけでなく、周辺音を聴き取る必要が生じる。
このため、ヘッドフォンに周辺音を収音するためのマイクを設けて、当該周辺音とともに、外部機器から出力される信号に基づく音を知覚させる技術が提案されている（例えば特許文献１参照）。
【先行技術文献】
【特許文献】
【０００３】
【特許文献１】特開２０１０−１８３４５１号公報
【発明の概要】
【発明が解決しようとする課題】
【０００４】
しかしながら、屋外でマイクにより周辺音を収音する場合、不快な風切り音を抑えるためにウィンドジャマーおよびウィンドウスクリーンのような風よけを当該マイクに設ける必要がある。この種の風よけは、風切り音を非常に効果的に抑えることができるものの、サイズが大きいというだけでなく、ヘッドフォンのデザイン性を損なう、という問題があった。
本発明は、このような事情に鑑みてなされたものであり、その目的の一つは、周辺音を収音するマイクをヘッドフォンに設ける場合に、風よけを設ける必要のない技術を提供することにある。
【課題を解決するための手段】
【０００５】
上記目的を達成するため、本発明の一態様に係るヘッドフォンは、ユーザーの外耳道の外側における周辺音を収音する第１マイクと、前記外耳道内の音を収音する第２マイクと、前記外耳道に向けて放音するスピーカーと、前記第１マイクの収音に基づく第１信号と、前記第２マイクの収音に基づく第２信号との比較により風切り音の発生の有無を判別する判別器と、前記判別器により前記風切り音が発生していないと判別された場合、前記第１信号に、入力された信号を加算して前記スピーカーに向けて出力する処理部と、を含む。
【図面の簡単な説明】
【０００６】
【図１】第１実施形態に係るヘッドフォンを示す図である。
【図２】ヘッドフォンの使用状態を示す図である。
【図３】ヘッドフォンの使用状態を示す詳細な図である。
【図４】ヘッドフォンの電気的な構成を示すブロック図である。
【図５】ヘッドフォンにおけるマイクに伝搬する音の経路を説明するための図である。
【図６】第２実施形態に係るヘッドフォンの電気的な構成を示すブロック図である。
【図７】風切り音の周波数特性の一例を示す図である。
【発明を実施するための形態】
【０００７】
以下、本発明の実施形態について図面を参照して説明する。
【０００８】
図１は、第１実施形態に係るヘッドフォン１を示す図である。この図に示されるように、ヘッドフォン１は、右耳用のライトユニット１０Ｒと、左耳用のレフトユニット１０Ｌと、当該ライトユニット１０Ｒおよび当該レフトユニット１０Ｌ同士を連結するネックバンド２０とを含む。
【０００９】
ライトユニット１０Ｒは、ベースユニット３とイヤーピース５とを含む。このうち、ベースユニット３は、例えばプラスチックのような硬質の素材で形成されて、ネックバンド２０の一端に固定される。なお、ベースユニット３の外観は大略円柱状に形成されている。また、イヤーピース５は、例えばシリコンゴムおよびウレタンのような弾力性を有する素材で形成されて、ベースユニット３に取り付けられる。
【００１０】
レフトユニット１０Ｌは、ライトユニット１０Ｒと同様にベースユニットとイヤーピースとを含む。なお、レフトユニット１０Ｌについては、図１では符号が省略されている。
【００１１】
図２は、当該ヘッドフォン１の使用状態を示す図であり、図３は、特に、ライトユニット１０Ｒについて右耳への装着状態を示す図である。
ユーザーＷは、ヘッドフォン１を次のように使用する。すなわち、ユーザーＷは、図２に示されるように、ライトユニット１０Ｒおよびレフトユニット１０Ｌをそれぞれ前方にして、ネックバンド２０を耳に掛け、ライトユニット１０Ｒのイヤーピースを右の外耳道に、レフトユニット１０Ｌのイヤーピースを左の外耳道に、それぞれ挿入する。
【００１２】
図３に示されるように、ベースユニット３において、円柱底面の一端側には、マイク１１が設けられる一方、他端側には、開口部４ａを有する円筒状のポート４が一体に形成されている。当該ポート４の底部であって、ベースユニット３の他端側には、マイク１２とスピーカー１５とが設けられている。
イヤーピース５は、上記弾力性を有する素材により例えばドーム状または砲弾状の形状に形成され、当該形状の底部側でポート４を被覆するようにベースユニット３に取り付けられる一方、当該形状の先端側がユーザーの外耳道２１４に挿入される。
より詳細には、ライトユニット１０Ｒについていえば、図３に示されるように、ベースユニット３の一端側が外耳道２１４から露出した状態で、イヤーピース５が鼓膜２１２に到達しない程度で外耳道２１４に挿入される。この状態において、マイク１１は、ベースユニット３に対して外側の音である周辺音を収音する一方、マイク１２は、スピーカー１５から発せられた音を収音するほか、外耳道２１４をイヤーピース５で閉塞した空間の音を収音し、さらに、 ベースユニット３並びにイヤーピース５などを伝搬した周辺音を収音する。
なお、図３では、便宜的にネックバンド２０は省略されている。
【００１３】
ヘッドフォン１において、ライトユニット１０Ｒおよびレフトユニット１０Ｌの電気的な構成については、後述するようにほぼ同一である。そこで、ライトユニット１０Ｒおよびレフトユニット１０Ｌの電気的な構成について、ライトユニット１０Ｒで代表して説明することにする。
【００１４】
図４は、ライトユニット１０Ｒの電気的な構成を示すブロック図である。
ライトユニット１０Ｒにおいて、マイク１１により収音された信号は、アンプ３１による増幅後、ＡＤＣ（Analog to Digital Converter）３２によりデジタル信号に変換されて、イコライザー４１と判別器５１とにそれぞれ供給される。
【００１５】
また、ライトユニット１０Ｒにおいて、マイク１２で収音された信号は、アンプ３５による増幅後、ＡＤＣ３６によりデジタル信号に変換されて、減算器５５の加算入力端（＋）に供給される。
【００１６】
減算器５５の減算入力端（−）には、フィルター５３の出力信号が供給される。このため、減算器５５は、ＡＤＣ３６の出力信号から、フィルター５３の出力信号を減算して出力することになる。減算器５５から出力される減算信号は、イコライザー４２と判別器５１とにそれぞれ供給される。
【００１７】
なお、フィルター５３は、外耳道２１４において、スピーカー１５からマイク１２までの空間経路をシミュレートするものである。詳細には、フィルター５３は、スピーカー１５により発せられる音に、スピーカー１５からマイク１２までに至る空間経路を伝搬したときの変化（反射および減衰など）を付与する。減算器５５では、ＡＤＣ３６の出力信号、すなわちマイク１２に基づく信号から、上記変化が付与された信号が減算される。このため、減算器５５による減算信号では、スピーカー１５から発せられた音の成分がキャンセルされることになる。
【００１８】
判別器５１は、ＡＤＣ３２の出力信号と減算器５５による減算信号とに基づいて、マイク１１で収音された周辺音に風切り音が含まれているか否かを判別し、当該判別結果を示す信号Ｗｎを出力する。
ここで、風切り音の判別について説明する。
【００１９】
図７は、風切り音の周波数特性の一例を示す図である。
一般に風切り音は、マイク周辺で気流が乱れることにより発生するランダム性のノイズである。このような風切り音は、広い周波数帯域に渡って発生し、レベルが低域側では比較的大きく、高域側では比較的小さく、かつ、周波数が高くなるにつれて徐々に減衰するような周波数特性を有する。なお、風切り音は、気流の乱れにより発生するので、ベースユニット３の構造や素材に応じて変動する傾向がある。
【００２０】
本実施形態において、風切り音が発生すると、マイク１１は、当該風切り音とともに周辺音を直接的に収音する。一方、イヤーピース５は使用状態でユーザーＷの外耳道２１４に挿入されるので、マイク１２は、直接的には風切り音を収音しないが、ベースユニット３またはユーザーＷの耳を介した間接的な伝搬により、当該風切り音とともに周辺音を多少なりとも収音する。なお、マイク１１および１２についての音の伝搬経路については後述する。
【００２１】
このように風切り音および周辺音は、マイク１１では直接的に収音されるのに対し、マイク１２では間接的に収音される。このため、風切り音が発生していれば、マイク１１により収音された低域側における音のレベルが、マイク１２により収音された低域側における音のレベルよりも大きくなり、風切り音が発生していなければ、それほど大きくはならない。
【００２２】
そこで、判別器５１は、ＡＤＣ３２から出力される信号の低域側におけるレベルが減算器５５から出力される信号の低域側におけるレベルよりもしきい値以上大きいか否かを判別し、大きければ、風切り音が発生していると判別し、大きくなければ、風切り音が発生していないと判別する。
判別器５１は、風切り音が発生していると判別すれば、信号ＷｎをＨレベルで出力し、風切り音が発生していないと判別すれば、信号ＷｎをＬレベルで出力する。
なお、風切り音の判別については、ここで述べた手法以外にも後述するように種々考えられる。
【００２３】
処理部４０は、イコライザー４１および４２と、スイッチ４５と、加算器４７とを含む。このうち、イコライザー４１は、ＡＤＣ３２の出力信号に補正処理、例えば音質を整える処理を施す。
【００２４】
イコライザー４２は、減算器５５による減算信号に、イコライザー４１と同等な補正処理に加えて高域側を強調する処理を施す。マイク１２は、上述したように周辺音を直接的には収音せず、ベースユニット３、イヤーピース５およびユーザーＷの耳などを介して間接的に収音する。このため、マイク１２により収音した周辺音は、特に高域側が明瞭ではない。そこで、イコライザー４２は、減算器５５による減算信号に高域側を強調する補正処理を施すのである。
【００２５】
スイッチ４５は、判別器５１による信号ＷｎがＬレベルである場合、すなわち風切り音が発生していないと判別された場合、イコライザー４１の出力信号を選択する（図４において実線の位置をとる）。
一方、スイッチ４５は、判別器５１による信号ＷｎがＨレベルである場合、すなわち風切り音が発生していると判別された場合、イコライザー４２の出力信号を選択する（図４において破線の位置をとる）。
【００２６】
なお、スイッチ４５は、イコライザー４１または４２のうち、選択した方の出力信号を加算器４７における一方の入力端に供給する。
【００２７】
レシーバー６０は、ヘッドフォン１でユーザーＷに聴かせる音の信号を入力するものである。当該レシーバー６０は、例えばネックバンド２０に内蔵され、外部機器１００で再生されたステレオ信号を例えばワイヤレスで受信し、当該ステレオ信号のうち、Ｒ信号をライトユニット１０Ｒにおける加算器４７の他方の入力端に供給する。
なお、レシーバー６０は、外部機器１００から出力されるステレオ信号のうち、Ｌ信号については、レフトユニット１０Ｌに供給する。
【００２８】
レシーバー６０は、ネックバンド２０ではなく、ライトユニット１０Ｒまたはレフトユニット１０Ｌの一方に組み込んでも良い。また、レシーバー６０は、ワイヤレスではなくて、外部機器１００によるステレオ信号を有線で受信しても良い。
【００２９】
加算器４７は、スイッチ４５で選択された信号と、ライトユニット１０Ｒでいえばレシーバー６０で受信されたＲ信号とを加算して、当該加算した信号をＤＡＣ（Digital to Analog Converter）３４およびフィルター５３にそれぞれ供給する。
ＤＡＣ３４は、加算器４７により加算されたデジタルの信号をアナログに変換し、アンプ３３は、当該アナログに変換された信号を増幅して、スピーカー１５に供給する。スピーカー１５は、アンプ３３により増幅された電気的な信号を物理的な振動、すなわち音に変換して出力する。
【００３０】
ヘッドフォン１の使用時には、イヤーピース５がユーザーＷの外耳道２１４に挿入されるので、スピーカー１５から出力される音は、ユーザーＷの鼓膜２１２に到達し、音として知覚される一方、マイク１２で収音されるが、その収音の際、当該外耳道２１４での反射および減衰の影響を受ける。
【００３１】
本実施形態において、判別器５１により風切り音が発生していないと判別された場合、右耳用のライトユニット１０Ｒでいえば、ＡＤＣ３２の出力信号をイコライザー４１で補正処理した信号、すなわち周辺音と、外部機器１００からのＲ信号とを加算した信号に基づく音がスピーカー１５から出力される。このため、ヘッドフォン１を装着したユーザーＷは、周辺音を知覚しつつ、外部機器１００による再生音を聴くことができる。
一方、判別器５１により風切り音が発生していると判別された場合、右耳用のライトユニット１０Ｒでいえば、減算器５５による減算信号に、イコライザー４２によって高域側を強調する補正処理を施した信号と、外部機器１００からのＲ信号とを加算した信号に基づく音がスピーカー１５から出力されるので、当該風切り音が抑えられる。このため、周辺音を明瞭に知覚しつつ、外部機器１００に基づくステレオ音を聴くことができる。
【００３２】
なお、ここでは右耳用のライトユニット１０Ｒで説明したが、左耳用のレフトユニット１０Ｌについても次の点を除き、同様な構成である。すなわち、レフトユニット１０Ｌでは、イヤーピース５が左の外耳道２１４に挿入され、レシーバー６０により受信された信号のうち、Ｌ信号が加算器４７における他方の入力端に供給される。
【００３３】
図５は、マイク１１および１２に伝搬する音の経路を示す図である。
周辺音は、風切り音が発生していれば当該風切り音とともに、図において経路Ａで示されるように、ベースユニット３に内蔵されたマイク１１により収音される。周辺音は、また、風切り音が発生していれば当該風切り音とともに、経路Ｂで示されるように、ベースユニット３、イヤーピース５およびユーザーＷ自身の体などの伝搬を経て、マイク１２により収音される。一方、スピーカー１５により発せられた音は、外耳道２１４での反射および減衰の影響を受けてマイク１２により収音する。このため、マイク１２は、スピーカー１５により発せられた音と、ベースユニット３およびイヤーピース５等を経た周辺音とを収音することになる。ただし、減算器５５による減算信号では、上述したように前者のスピーカー１５により発せられた音の成分が除去されているので、イヤーピース５などを伝搬した周辺音を表すことになる。
【００３４】
なお、ライトユニット１０Ｒおよびレフトユニット１０Ｌの各々においては、それぞれ独立に風切り音の有無を判別する。このため、例えばライトユニット１０Ｒおよびレフトユニット１０Ｌの一方が風上に位置し、他方が風下に位置する場合、一方では、風切り音が発生していると判別し、他方では、風切り音が発生していないと判別することがあり得る。
【００３５】
このように、本実施形態に係るヘッドフォン１を装着したユーザーＷは、風切り音が発生していなければ、周辺音を知覚しつつ、外部機器１００により再生された信号に基づくステレオ音を聴くことができる。また、風切り音が発生しても、当該風切り音が抑えられるので、ユーザーＷは、周辺音を明瞭に知覚しつつ、外部機器１００に基づくステレオ音を聴くことができる。
【００３６】
なお、実施形態では、風切り音が発生していないと判別した場合、ＡＤＣ３２の出力信号をイコライザー４１で補正処理してスピーカー１５に向けて出力したが、イコライザー４１の補正処理は必須ではない。
また、風切り音が発生していると判別された場合、減算器５５の減算信号をイコライザー４２で補正処理してスピーカー１５に向けて出力したが、マイク１２により収音した周辺音の高域側が明瞭であれば、イコライザー４２の補正処理は必須ではない。
【００３７】
次に、第２実施形態について説明する。第２実施形態に係るヘッドフォン１は、第１実施形態と電気的な構成のみが異なる。そこで、第２実施形態については、電気的な構成を中心に説明することにする。
【００３８】
図６は、第２実施形態に係るヘッドフォン１を示す図である。図６に示される構成が図４に示した構成と相違する点は、次の３点である。すなわち、処理部４０におけるイコライザー４２が特性の異なるイコライザー４３に置き換わった点（第１の点）、減算器５５による減算信号が処理部４０に供給されず、判別器５１のみに供給される点（第２の点）、ＡＤＣ３２の出力信号が判別器５１およびイコライザー４１のほか、イコライザー４３に供給される点（第３の点）である。
【００３９】
上記３つの点のうち、第１の点について詳述すると、イコライザー４３は、ＡＤＣ３２の出力信号に補正処理を施す。詳細には、イコライザー４３は、イコライザー４１と同様な補正処理に加え、風切り音の周波数帯域を低減させる処理を施す。図７で説明したように、風切り音は、低域側ではレベルが比較的大きく、高域側ではレベルが比較的小さく、周波数が高くなるにつれて徐々に減衰するような周波数特性を有する。このため、イコライザー４３が風切り音の周波数範囲の低域側を低減させると、マイク１１で収音した風切り音が低減することになる。
【００４０】
第２実施形態に係るヘッドフォン１において、風切り音が発生していなければ、スイッチ４５は、イコライザー４１の出力信号を選択するので、第１実施形態と同様となる。すなわち、右耳用のライトユニット１０Ｒでいえば、風切り音が発生していない場合、マイク１１の増幅信号をイコライザー４１で補正処理した信号と、外部機器１００からのステレオ信号のうちのＲ信号とを加算した信号に基づく音がスピーカー１５から出力される。
【００４１】
一方、風切り音が発生していれば、スイッチ４５がイコライザー４３の出力信号を選択する。このため、右耳用のライトユニット１０Ｒでいえば、風切り音を含むＡＤＣ３２の出力信号に、イコライザー４３で低域側を低減させる補正処理を施すことによって当該風切り音を抑えた信号と、外部機器１００からのステレオ信号のうちのＲ信号とを加算した信号に基づく音がスピーカー１５から出力される。
ここでは、右耳用のライトユニット１０Ｒで説明したが、左耳用のレフトユニット１０Ｌでも同様である。
【００４２】
なお、第２実施形態において、イコライザー４３による補正処理は、イコライザー４１による補正処理に、風切り音の周波数範囲の低域側を低減させる処理を加えたものである。このため、イコライザー４１の出力信号またはイコライザー４３の出力信号をスイッチ４５により切り替えるのではなく、イコライザー４１の出力信号に対し、上記低減させる処理を施す別途のイコライザーをバイパスさせる経路と、バイパスさせない経路とで切り替える構成として良い。
また、風切り音の周波数範囲の低域側を低減させる程度を段階的に変化させたイコライザーを複数個設けるとともに、判別器５１が風切り音の発生レベルに応じて、適用するイコライザーをスイッチ４５の選択で切り替える構成としても良い。さらにまた、イコライザーでの処理を規定するパラメータを、判別器５１が風切り音の発生レベルに応じて供給することにより、風切り音の周波数範囲の低域側を低減させる処理内容を変化させる構成としても良い。
【００４３】
なお、第１実施形態および第２実施形態については、ライトユニット１０Ｒおよびレフトユニット１０Ｌをネックバンド２０で接続したが、ヘッドバンドで接続しても良い。また、ライトユニット１０Ｒおよびレフトユニット１０Ｌを電気的に無線で接続し、ネックバンド等の物理的な接続を無くしても良い。
第１実施形態および第２実施形態については、ステレオ音を聴かせるヘッドフォンとして説明したが、風切り音を抑えた周辺音とともに、外部機器１００からの音を知覚させる、という観点からいえばモノラルの、または、片耳のみのイヤーフォンでも良い。
【００４４】
判別器５１における風切り音については、第１実施形態で説明した手法のほか、次のような手法で判別することができる。
【００４５】
風切り音は、図７で説明したように、レベルが低域側で比較的大きく、高域側で比較的小さく、周波数が高くなるにつれて徐々に減衰するような周波数特性である。このため、例えばマイク１１による信号のレベルの低域側がしきい値以上であれば、風切り音が発生している、と判別しても良い。
【００４６】
ヘッドフォン１におけるライトユニット１０Ｒおよびレフトユニット１０Ｌの一方が風上に位置し、他方が風下に位置する場合、風上側におけるマイク１１での収音した信号のレベルは、風下側におけるマイク１１での収音した信号のレベルよりも大きくなる。
このため、ライトユニット１０Ｒのマイク１１による信号のレベルと、レフトユニット１０Ｌのマイク１１における信号のレベルとを比較し、両者信号のレベルの差がしきい値以上であれば、風切り音が発生し、当該差がしきい値未満であれば、風切り音が発生していない、と判別する構成としても良い。
なお、この構成において、レベルが大きい方のユニット側において風切り音が発生していると判別しても良いし、両ユニットにおいて風切り音が発生していると判別しても良い。
【００４７】
風切り音の周波数特性の一例は図７に示した通りであるが、気流の乱れは、風方向によっても異なるので、風切り音の周波数特性についても風方向に変動する傾向がある。そこで、複数の風方向で生じる風切り音の周波数特性を予め測定して記憶しておき、マイク１１による信号の周波数特性が、記憶しておいた風切り音の周波数特性に一致する（または近い）ものがあるか否かにより、風切り音の有無を判別しても良い。
なお、風切り音の判別については、以上述べた手法を単独で用いても良いし、２以上適宜組み合わせて用いても良い。
【００４８】
マイク１１または／およびマイク１２は周辺音を収音するので、マイク１１または／およびマイク１２から出力される信号の位相を反転させ、外部機器１００の信号と加算することによって、当該周辺音（ノイズ）を低減する機能（いわゆるノイズキャンセリング機能）を実現しても良い。
【００４９】
上述した実施形態において、風切り音を抑えた周辺音とともに、外部機器の出力信号に基づく音を知覚させる、という観点より、以下の発明が把握される。
【００５０】
まず、ユーザーの外耳道の外側における周辺音を収音する第１マイクと、前記外耳道内の音を収音する第２マイクと、前記外耳道に向けて放音するスピーカーと、前記第１マイクの収音に基づく第１信号と、前記第２マイクの収音に基づく第２信号との比較により風切り音の発生の有無を判別する判別器と、前記判別器により前記風切り音が発生していないと判別された場合、前記第１信号に、入力された信号を加算して前記スピーカーに向けて出力する処理部と、を含むヘッドフォンが把握される。
上記ヘッドフォンによれば、第１マイクが周辺音を風切り音とともに収音する場合もあるが、第２マイクは、外耳道に挿入されるので風が当たらない。したがって、第１マイクの収音に基づく第１信号と第２マイクの収音に基づく第２信号との比較により当該風切り音の発生の有無を判別することができるので、第１マイクに風防を装着する必要がない。
なお、「…に向けて出力する」とは、…までの経路途中に別の中間要素が介在しても良い、という意味である。
【００５１】
上記ヘッドフォンにおいて、前記判別器により前記風切り音が発生していると判別された場合、前記処理部は、前記第２信号に、入力された信号を加算して前記スピーカーに向けて出力する構成としても良い。この構成によれば、ユーザーに、風切り音を抑えた周辺音とともに外部機器から出力される信号に基づく音を知覚させることができる。
【００５２】
上記ヘッドフォンにおいて、前記判別器により前記風切り音が発生していると判別された場合、前記処理部は、前記第１信号に、前記風切り音を低減させる処理を施し、入力された信号を加算して前記スピーカーに向けて出力する構成としても良い。この構成によっても、ユーザーに、風切り音を抑えた周辺音とともに外部機器から出力される信号に基づく音を知覚させることができる。
【００５３】
上記ヘッドフォンにおいて、前記スピーカーに向けて出力される信号に対して所定の特性を付与するフィルターと、前記第２マイクの出力信号から前記フィルターの出力信号を減算する減算器とを含み、前記判別器は、前記第１マイクの収音に基づく第１信号と、前記減算器で減算された信号との比較により前記風切り音の発生の有無を判別する構成としても良い。この構成によれば、第２マイクで収音された信号からスピーカーで出力される音の信号をキャンセルされ得る。
【符号の説明】
【００５４】
１…ヘッドフォン、１０Ｒ…ライトユニット、１０Ｌ…レフトユニット、１１…マイク（第１マイク）、１２…マイク（第２マイク）、１５…スピーカー、４０…処理部、５５…減算器、１００…外部機器。
【図１】
2020150566.tif 000003
【図２】
2020150566.tif 000004
【図３】
2020150566.tif 000005
【図４】
2020150566.tif 000006
【図５】
2020150566.tif 000007
【図６】
2020150566.tif 000008
【図７】
2020150566.tif 000009